(57)【要約】【課題】食缶の運搬時の安全性の向上を図る。【解決手段】食缶２の本体３には、本体側鍔部６が、開口端３Ｇから外側に形成される。食缶２の蓋５には、外周縁に蓋側鍔部１０が本体側鍔部６に対応して、内周側に円筒状摺接部１１が開口端内周部３Ｆに対応してそれぞれ形成される。本体側鍔部６には、周方向等間隔に貫通孔８が穿設される。蓋側鍔部１０の下面には、鉤部１２が前記貫通孔８に出入り自在に対応して設けられる。鉤部１２は断面Ｌ字状に形成され、下部の折曲端部１３は周方向同一方向に向けて形成される。食缶２は、蓋５を一方向に回して鉤部１２を貫通孔８に没入させて貫通孔８の開口縁８Ａに係止させ、蓋５を本体３に係止させ、円筒状摺接部１１を開口端内周部３Ｆに密着させるようにしている。蓋５を逆方向に回すと開口縁８Ａとの係合を解き貫通孔８から離脱させる。【選択図】図１
2015178361.tif 000002
【特許請求の範囲】
【請求項１】
耐熱強化合成樹脂を成型して形成した本体と蓋とを備え、
本体開口部と蓋外周部とにはそれぞれ、異なる面で互いに全周が当接する密閉部を形成するとともに、蓋を回動変位させて係脱自在に係止され蓋の脱落を防止する係止部を設けたことを特徴とする食缶。
【請求項２】
本体を有底円筒状に形成し、
密閉部は、蓋の外周側を外側に突出させて形成され本体開口端に載置可能な蓋側鍔部と、この蓋の下面に下方に突出して形成され外周面が本体開口内周面に摺接可能に嵌め入れられる円筒状摺接部とを備えて構成し、
係止部は、本体開口端から所定の寸法下方で外側に突出して形成され前記蓋側鍔部に空隙を隔てて臨むとともに周方向等間隔に貫通孔が穿設された本体側鍔部と、蓋側鍔部の下面に、前記貫通孔に出入り自在に対応させて設けられ下部の折曲端が周方向同一方向に向けて形成された鉤部とを備えて構成し、蓋の回動により鉤部を貫通孔に没入させて貫通孔の開口縁に係止させ、逆方向に回動させて開口縁との係合を解き鉤部を貫通孔から離脱させるよう構成したことを特徴とする請求項１に記載の食缶。
【請求項３】
鉤部は、断面Ｌ字状に形成されるとともに折曲端部の上面は傾斜して形成され、係止時、貫通孔の開口縁に食い込み可能に基部側が厚肉に先端側が次第に薄肉に形成されることを特徴とする請求項２に記載の食缶。
【請求項４】
蓋側鍔部下面には、円筒状摺接部と鉤部との間に環状溝が形成され、この環状溝に蓋と本体との液密を保持するシール部材が嵌入されることを特徴とする請求項２または３に記載の食缶。
【請求項５】
蓋側鍔部の外周縁には、外側に突出した摘み部が形成されることを特徴とする請求項２ないし４のうちいずれか１に記載の食缶。
【請求項６】
蓋の上面には、円筒状摺接部に対応して上方に突出し、蓋同士の積み重ね時、上側の蓋の横ずれを防止する蓋横ずれ防止部が形成されることを特徴とする請求項２ないし５のうちいずれか１に記載の食缶。
【請求項７】
本体底部の下面には、周方向に高台が形成されるとともに、
蓋の上面には、高台に対応して上方に突出し、本体を蓋に積み重ねた際、本体の横ずれを阻止する高台横ずれ防止部が形成されることを特徴とする請求項１ないし６のうちいずれか１に記載の食缶。
【請求項８】
本体の円筒状壁部を、底面から開口部に向かって拡径した拡径壁部と、この拡径壁部に傾斜角度を異ならせて拡径壁部を上下に隔て外周面に突部が形成された折り曲り部と、上側壁部の開口端内周部に形成され、本体の積み重ね時、折り曲り部の外側突部が載置される段部とを備えて構成し、
積み重ね時、開口端内周面と突部との間に細隙を形成すべく構成したことを特徴とする請求項１ないし７のうちいずれか１に記載の食缶。
【発明の詳細な説明】
【技術分野】
【０００１】
本発明は、耐熱強化合成樹脂製の食缶に関するものである。
【背景技術】
【０００２】
従来、耐熱合成樹脂製の食缶は、多数の人に食事のサービスを提供する病院や学校、社食などで用いられる。食缶は、有底円筒状の本体とこの本体に被せられ食材がこぼれるのを阻止するとともに、異物の混入を防ぐ蓋を備えて構成される（例えば、特許文献１参照）。
【先行技術文献】
【特許文献】
【０００３】
【特許文献１】特開平１０−５２３７５号公報
【発明の概要】
【発明が解決しようとする課題】
【０００４】
特許文献１に記載の食缶では、内側を凹ませるように傾斜した蓋は外周縁が下方に折曲され、蓋が本体に被せられると、この折曲部が本体開口部に嵌り密閉するようになっている。蓋は本体に被せられると回動するようになっている。このように、従来の食缶では、蓋の着脱が容易な反面、学校給食などで、本体に暖かい汁等が入れられ蓋が被せられた食缶を生徒が取手を持って二人で運搬する際、食缶を傾けたり、倒したりした場合など、蓋が外れて中の汁等がこぼれてしまうという問題がある。
【０００５】
本発明は上記課題を解決するためになされたもので、簡素な構成で、運搬時、たとえ、傾斜したり倒れたりした場合でも、中身がこぼれ出したりすることのない安全でしかも操作性のよい食缶を提供することを目的とする。
【課題を解決するための手段】
【０００６】
本発明の請求項１に係る食缶は、耐熱強化合成樹脂を成型して形成した本体と蓋とを備え、本体開口部と蓋外周部とにはそれぞれ、異なる面で互いに全周が当接する密閉部を形成するとともに、蓋を回動変位させて係脱自在に係止され蓋の脱落を防止する係止部を設けたことを特徴とするものである。
【０００７】
本発明の請求項１に係る食缶では、耐熱強化合成樹脂を成型して形成した本体と蓋とを備え、本体開口部と蓋外周部とにはそれぞれ、異なる面で互いに全周が当接する密閉部を形成するとともに、蓋を回動変位させて係脱自在に係止され蓋の脱落を防止する係止部を設けたことにより、蓋を本体に係止させると、本体開口部と蓋外周部とが異なる面で互いに全周が当接して密閉されるので、食缶に食材を入れて運ぶ際、食缶が傾いたり、倒れたりしても中身がこぼれ出にくい。
【０００８】
本発明の請求項２に係る食缶は、本体を有底円筒状に形成し、密閉部は、蓋の外周側を外側に突出させて形成され本体開口端に載置可能な蓋側鍔部と、この蓋の下面に下方に突出して形成され外周面が本体開口内周面に摺接可能に嵌め入れられる円筒状摺接部とを備えて構成し、係止部は、本体開口端から所定の寸法下方で外側に突出して形成され前記蓋側鍔部に空隙を隔てて臨むとともに周方向等間隔に貫通孔が穿設された本体側鍔部と、蓋側鍔部の下面に、前記貫通孔に出入り自在に対応させて設けられ下部の折曲端が周方向同一方向に向けて形成された鉤部とを備えて構成し、蓋の回動により鉤部を貫通孔に没入させて貫通孔の開口縁に係止させ、逆方向に回動させて開口縁との係合を解き鉤部を貫通孔から離脱させるよう構成したことを特徴とするものである。
【０００９】
本発明の請求項２に係る食缶では、本体を有底円筒状に形成し、密閉部は、蓋の外周側を外側に突出させて形成され本体開口端に載置可能な蓋側鍔部と、この蓋の下面に下方に突出して形成され外周面が本体開口内周面に摺接可能に嵌め入れられる円筒状摺接部とを備えて構成し、係止部は、本体開口端から所定の寸法下方で外側に突出して形成され前記蓋側鍔部に空隙を隔てて臨むとともに周方向等間隔に貫通孔が穿設された本体側鍔部と、蓋側鍔部の下面に、前記貫通孔に出入り自在に対応させて設けられ下部の折曲端が周方向同一方向に向けて形成された鉤部とを備えて構成し、蓋の回動により鉤部を貫通孔に没入させて貫通孔の開口縁に係止させ、逆方向に回動させて開口縁との係合を解き鉤部を貫通孔から離脱させるよう構成したことにより、蓋を本体に被せて回動させるだけで、蓋を本体に係止したり係合を解除したりすることができる。また、蓋の係止時、本体開口端と蓋側鍔部および本体開口内周面と円筒状摺接部外周面とがそれぞれ当接して密閉されているので、食缶に食材を入れて運ぶ際、食缶が傾いたり、倒れたりしても中身がこぼれ出にくい。
【００１０】
本発明の請求項３に係る食缶は、鉤部は、断面Ｌ字状に形成されるとともに折曲端部の上面は傾斜して形成され、係止時、貫通孔の開口縁に食い込み可能に基部側が厚肉に先端側が次第に薄肉に形成されることを特徴とするものである。
【００１１】
本発明の請求項３に係る食缶では、鉤部は、断面Ｌ字状に形成されるとともに折曲端部の上面は傾斜して形成され、係止時、貫通孔の開口縁に食い込み可能に基部側が厚肉に先端側が次第に薄肉に形成されることにより、蓋を本体に載せて回し、折曲端部を貫通孔の開口縁に食い込ませると、鉤部は本体側鍔部に確実に係合される。
【００１２】
本発明の請求項４に係る食缶は、蓋側鍔部下面には、円筒状摺接部と鉤部との間に環状溝が形成され、この環状溝に蓋と本体との液密を保持するシール部材が嵌入されることを特徴とするものである。
【００１３】
本発明の請求項４に係る食缶では、蓋側鍔部下面には、円筒状摺接部と鉤部との間に環状溝が形成され、この環状溝に蓋と本体との液密を保持するシール部材が嵌入されることにより、鉤部が本体側鍔部に係合されると、本体開口端と蓋側鍔部および本体開口内周面と円筒状摺接部外周面との密閉に加え、シール部材によっても液密が保たれるので、食缶がたとえ傾いたり倒れたりしても内部の汁等の食材が外部に漏出するのを確実に阻止することができる。
【００１４】
本発明の請求項５に係る食缶は、蓋側鍔部の外周縁には、外側に突出した摘み部が形成されることを特徴とするものである。
【００１５】
本発明の請求項５に係る食缶では、蓋側鍔部の外周縁には、外側に突出した摘み部が形成されることにより、蓋を本体に載せて回す際、摘み部を持って回すことができるので、操作性が向上する。
【００１６】
本発明の請求項６に係る食缶は、蓋の上面には、円筒状摺接部に対応して上方に突出し、蓋同士の積み重ね時、上側の蓋の横ずれを防止する蓋横ずれ防止部が形成されることを特徴とするものである。
【００１７】
本発明の請求項６に係る食缶では、蓋の上面には、円筒状摺接部に対応して上方に突出し、蓋同士の積み重ね時、上側の蓋の横ずれを防止する蓋横ずれ防止部が形成されることにより、蓋同士を積み重ねた際、上側の蓋の横ずれを防ぐことができるので、蓋同士を多数積み重ねて収納することができる。
【００１８】
本発明の請求項７に係る食缶は、本体底部の下面には、周方向に高台が形成されるとともに、蓋の上面には、高台に対応して上方に突出し、本体を蓋に積み重ねた際、本体の横ずれを阻止する高台横ずれ防止部が形成されることを特徴とするものである。
【００１９】
本発明の請求項７に係る食缶では、本体底部の下面には、周方向に高台が形成されるとともに、蓋の上面には、高台に対応して上方に突出し、本体を蓋に積み重ねた際、本体の横ずれを阻止する高台横ずれ防止部が形成されるれることにより、本体を蓋に載せた際、本体の横ずれを防ぐことができるので、蓋の上に本体を積み重ねて収納することができる。
【００２０】
本発明の請求項８に係る食缶は、本体の円筒状壁部を、底面から開口部に向かって拡径した拡径壁部と、この拡径壁部に傾斜角度を異ならせて拡径壁部を上下に隔て外周面に突部が形成された折り曲り部と、上側壁部の開口端内周部に形成され、本体の積み重ね時、折り曲り部の外側突部が載置される段部とを備えて構成し、積み重ね時、開口端内周面と突部との間に細隙を形成すべく構成したことを特徴とするものである。
【００２１】
本発明の請求項８に係る食缶では、本体の円筒状壁部を、底面から開口部に向かって拡径した拡径壁部と、この拡径壁部に傾斜角度を異ならせて拡径壁部を上下に隔て外周面に突部が形成された折り曲り部と、上側壁部の開口端内周部に形成され、本体の積み重ね時、折り曲り部の外側突部が載置される段部とを備えて構成し、積み重ね時、開口端内周面と突部との間に細隙を形成すべく構成したことにより、本体同士を積み重ねた際、上下の本体の間には空隙が確保されるので、洗浄後の乾燥時間を短縮化することができる。
【発明の効果】
【００２２】
本発明に係る食缶は、耐熱強化合成樹脂を成型して形成した本体と蓋とを備え、本体開口部と蓋外周部とにはそれぞれ、異なる面で互いに全周が当接する密閉部を形成するとともに、蓋を回動変位させて係脱自在に係止され蓋の脱落を防止する係止部を設けたことにより、安全性と操作性を向上させる効果がある。
【図面の簡単な説明】
【００２３】
【図１】図１は本発明の一実施例に係る食缶を示す一部省略断面図である。（実施例１）
【図２】図２は図１の食缶の本体を示す平面図である。
【図３】図３は図２の本体のIII−III線に沿った縦断面図であって積み重ねた状態を示す図である。
【図４】図４は積み重ねられた状態の食缶本体の要部を拡大して示す要部拡大断面図である。
【図５】図５は図１の食缶の蓋の断面図である。
【図６】図６は図５の蓋の底面図である。
【図７】図７は積み重ねられた状態の蓋を示す説明図である。
【図８】図８は蓋が本体に係止された際の係止部の状態を示す要部拡大断面図である。
【図９】図９の（Ａ）、（Ｂ）はそれぞれ、蓋の蓋側鍔部と円筒状摺接部と鉤部との配置を示す要部拡大断面図および鉤部を外側から見た説明図である。
【発明を実施するための形態】
【００２４】
食缶運搬時の安全性を向上させるという目的を、耐熱強化合成樹脂を成型して形成した本体と蓋とを備え、本体開口部と蓋外周部とにはそれぞれ、異なる面で互いに全周が当接する密閉部を形成するとともに、蓋を回動変位させて係脱自在に係止され蓋の脱落を防止する係止部を設けるとともに、本体を有底円筒状に形成し、密閉部を、蓋の外周側を外側に水平に突出させて形成され本体開口端に載置可能な蓋側鍔部と、この蓋の下面に下方に突出して形成され外周面が本体開口内周面に摺接可能に嵌め入れられる円筒状摺接部とを備えて構成し、係止部を、本体開口端から所定の寸法下方で外側に水平に突出して形成され前記蓋側鍔部に空隙を隔てて臨むとともに周方向等間隔に貫通孔が穿設された本体側鍔部と、蓋側鍔部の下面に、前記貫通孔に出入り自在に対応させて設けられ下部の折曲端を周方向同一方向に向けて形成された鉤部とを備えて構成し、蓋の回動により鉤部を貫通孔に没入させて貫通孔の開口縁に係止させ、逆方向に回動させて開口縁との係合を解き鉤部を貫通孔から離脱させるよう構成し、しかも、蓋側鍔部下面には、円筒状摺接部と鉤部との間に環状溝を形成され、この環状溝に蓋と本体との液密を保持するシール部材を嵌入させたことにより実現した。
【実施例１】
【００２５】
以下、図面に示す実施例により本発明を説明する。本発明の一実施例に係る食缶２は、図１に示すように、本体３とこの本体３の開口部４に被せられる蓋５とを備えて構成される。これら本体３と蓋５はいずれも、耐熱強化合成樹脂を成型して形成される。
【００２６】
本体３は、図３に示すように、底部３Ａから上端開口部４に向かって拡径する有底円筒状に成型される。本体３の円筒状壁部３Ｂ〜３Ｆは、底部３Ａから開口部４に向かって拡径した拡径壁部３Ｂ、３Ｄと、この拡径壁部３Ｂ、３Ｄに傾斜角度を異ならせて拡径壁部３Ｂ、３Ｄを上下に隔て外面面に環状の突部３Ｈが形成された折り曲り部３Ｃと、上側拡径壁部３Ｄの開口端３Ｇの内周部３Ｆに形成され、本体３の積み重ね時、折り曲り部３Ｃの外側突部３Ｈが載置される段部３Ｅとを備えて構成される。折り曲り部３Ｃは拡径壁部３Ｂ、３Ｄより傾斜角度が大きく上側が外に傾いて形成される。環状突部３Ｈの外側面３Ｉの径方向長さは開口端内周部３Ｆの内径より短く設定され、本体３同士が積み重ねられた際、開口端内周部３Ｆと突部３Ｈとの間に細隙Ｓ１を形成するようになっている。このため、本体３同士を積み重ねた際、上下の本体３、３の間には空隙が確保されるので、洗浄後の乾燥時間を短縮化することができるようになっている。
【００２７】
また、本体３には、本体側鍔部６が本体開口端３Ｇから所定の寸法下方で外側に水平に突出して形成される。本体側鍔部６の上面６Ａは後述する蓋５の蓋側鍔部１０に空隙Ｓ２を隔てて臨むとともに、本体側鍔部６には、周方向等間隔に弧状の貫通孔８が穿設される（本実施例では、６箇所、図２参照）。本体３の開口端３Ｇの外周部には、一対の取手７が本体側鍔部６と連続し外側に突出して向かい合って形成される。本体３の底部３Ａ下面には、弧状の高台９が下方に突出して周方向等間隔に複数形成される（本実施例では、６箇所）。
【００２８】
蓋５の外周には、図５および図６に示すように、蓋側鍔部１０が本体開口端３Ｇより外側に水平に突出して形成される。すなわち、蓋側鍔部１０の外周は本体開口端３Ｇの径より大径に形成され、蓋側鍔部１０は本体開口端３Ｇに載置されるようになっている。蓋側鍔部１０の内周側には、円筒状摺接部１１が下方に突出して形成される。この円筒状摺接部１１は、外周面１１Ａが本体開口端内周部３Ｆに摺動可能に嵌め入れられるようになっている。こうして、蓋５を本体３に被せると、本体開口端３Ｇが蓋側鍔部１０の下面１０Ａに、本体開口端内周部３Ｆが円筒状摺接部１１の外周面１１Ａにそれぞれ当接するようになっている。これら本体開口部４と蓋側鍔部１０とにより、異なる面で互いに全周が当接する密閉部を構成している。
【００２９】
蓋側鍔部１０の下面１０Ａには、図９の（Ａ）、（Ｂ）に示すように、断面Ｌ字状の鉤部１２が本体側鍔部６の貫通孔８に出入り自在に対応して形成される。すなわち、鉤部１２は、周方向等間隔に６箇所設けられる。鉤部１２は円筒状摺接部１１とほぼ同じ寸法下方に突出している。鉤部１２は下部の折曲端部１３が周方向の同一方向に向けて形成されるようになっている。折曲端部１３の上面１３Ａは傾斜して形成され、基部が厚肉に、基部から先端に向かって次第に薄肉に形成される。こうして、蓋５を本体３に被せ、蓋５を本体側鍔部６の外周縁に沿って鉤部１２の折曲端部１３の延長方向に回すと、折曲端部１３が貫通孔８に没入し、さらに、蓋５が回されると、折曲端部１３の傾斜上面１３Ａが貫通孔８の開口縁８Ａに当たり、傾斜上面１３Ａの厚肉部が貫通孔８の開口縁８Ａに圧接されて本体側鍔部６の下面６Ｂに食い込むと、それ以上の回動が規制され、鉤部１２は本体側鍔部６に確実に係合するようになっている。このとき、本体開口端３Ｇが蓋側鍔部１０の下面１０Ａに、本体開口端内周部３Ｆが円筒状摺接部１１の外周面１１Ａにそれぞれ確実に密着し、シール性能を確保するようになっている。それに加え、鉤部１２が本体側鍔部６に食い込んでいるので、耐熱強化合成樹脂からなる両鍔部６、１０の間の空隙Ｓ２が狭められ、両者６、１０が接近して強い力で係合されるようになっている。
【００３０】
蓋５の取り外し時は、蓋５を係止方向と逆に回すと、折曲端部１３は本体側鍔部６の下面６Ｂから貫通孔８に導かれ、鉤部１２が貫通孔８の向かい合う他方の開口縁に当たって係合が解かれ、貫通孔８から離脱するようになっている。このように、本実施例では、蓋５を回動変位させて係脱自在に係止され蓋５の脱落を防止する係止部は、本体開口端３Ｇから所定の寸法下方で外側に水平に突出して形成され周方向等間隔に貫通孔８が穿設された本体側鍔部６と、本体側鍔部６に空隙Ｓ２を隔てて臨むとともに、下面１０Ａに前記貫通孔８に出入り自在に対応して形成され下部の折曲端部１３を周方向同一方向に向けて形成される断面Ｌ字状の鉤部１２が形成された蓋側鍔部１０とを備えて構成される。そして、この係止部は、蓋５の回動により鉤部１２を貫通孔８に没入させて貫通孔８の開口縁８Ａに係止させ、逆方向に回動させて開口縁８Ａとの係合を解き鉤部１２を貫通孔８から離脱させるよう構成される。
【００３１】
また、蓋５の上面には、高台横ずれ防止部１４が高台９に対応して上方に突出して形成され、本体３を蓋５の上に積み重ねた際、本体３の横ずれを阻止するようになっている。さらに、蓋５の上面には、蓋横ずれ防止部１５が高台横ずれ防止部１４の外側に円筒状摺接部１１に対応して上方に突出して形成され、蓋５同士の積み重ね時、上側の蓋５の横ずれを防止するようになっている。
【００３２】
蓋側鍔部１０の外周縁には、一対の摘み部１６が互いに向かい合って外側に突出して形成される。また、蓋側鍔部１０の下面１０Ａには、円筒状摺接部１１と鉤部１２との間に断面コ字状の環状溝１７が形成され、この環状溝１７には、環状のパッキン（シール部材）１８が嵌入されるようになっている。パッキン１８は、合成樹脂製の弾性体から構成され、鉤部１２が貫通孔８を介して本体側鍔部６に係合し、両鍔部６、１０が締め付けられて、蓋側鍔部１０の下面１０Ａが本体側鍔部６の上面６Ａ側に押されると、弾性変形して液密を保持するようになっている。このため、鉤部１２が本体側鍔部６に係合すると、本体開口端３Ｇが蓋側鍔部１０の下面１０Ａに、本体開口端内周部３Ｆが円筒状摺接部１１の外周面１１Ａにそれぞれ密着してシール性能を確保するだけでなく、それに加えてパッキン１８が上下から押圧されて確実にシールされるようになっている。
【００３３】
次に、上記実施例に係る食缶２の作用について説明する。上記実施例に係る食缶２は、本体３と蓋５とが、耐熱強化合成樹脂を成型して形成されているので、外部から金属探知機により食缶２内の異物の有無を検査することができる。食缶２は、本体３に食材を入れて蓋５を被せ、摘み部１６を持って蓋５を本体開口部４に沿って折曲端部１３の延長方向に回すと、折曲端部１３が貫通孔８に没入する。折曲端部１３が貫通孔８に没入すると、蓋５は鉤部１２の高さ分降下し、蓋５の円筒状摺接部１１は本体３の開口端内周部３Ｆに、蓋側鍔部１０の下面１０Ａは本体開口端３Ｇにそれぞれ当接される。さらに、蓋５が同じ方向に回されると、鉤部１２が貫通孔８の開口縁８Ａに食い込んでそれ以上の回動が規制され、鉤部１２は本体側鍔部６に係止される。このとき、両鍔部６、１０の間の空隙Ｓ２が狭められ両者６、１０が接近して強い力で係合される。このため、係合による弾性力により蓋５の円筒状摺接部１１は本体３の開口端内周部３Ｆに、蓋側鍔部１０の下面１０Ａは本体開口端３Ｇにそれぞれ密着される。さらに、パッキン１８が本体側鍔部６の上面６Ａに圧接されて、本体側鍔部６と蓋側鍔部１０との間で確実に液密が保持される。このため、この状態で食缶２を運搬し、傾いたり倒れたりしても、内部の食材がこぼれ出ることがない。従って、運搬時の安全性を向上させることができる。また、蓋５を逆に回すと、容易に本体５から取り外すことができる。このように、蓋５を正逆に回すだけで、蓋５を本体３にロックさせたり、ロックを解除させたりすることができるので、操作性が向上する。また、本体５は洗浄後、積み重ねても、上下の本体５間には、突部３Ｈにより空隙が確保されるので積み重ねた状態で乾燥させることができ、作業性が向上する。また、本体３と蓋５、また、蓋５同士を積み重ねてもずれ落ちることがないので、収納空間を有効に利用することができる。
【００３４】
なお、上記実施例では、パッキン１８を蓋側鍔部１０と本体側鍔部６との間に設けるようにしているがこれに限られるものではなく、円筒状摺接部１１と開口端内周部３Ｆとの間に設けるようにしてもよい。また、鉤部１２を蓋側鍔部１０の下面１０Ａに、貫通孔８を本体側鍔部６に形成するようにしているがこれに限られるものではなく、蓋側鍔部の外縁を下方に折曲して構成するとともに、本体側鍔部の外縁を蓋側鍔部の外縁折曲部に対応させて下方に折曲して構成し、これら両鉤部のうち一方に鉤部または突部を他方にこの鉤部または突部に係脱自在に係止される貫通孔または凹部を形成するようにしてもよい。このように構成することにより、全周が当接する異なる面を増加させ、よりこぼれにくくすることができる。
【符号の説明】
【００３５】
２  食缶
３  本体
３Ｆ  開口端内周部（密閉部）
４  本体開口部
５  蓋
６  本体側鍔部（係止部）
８  貫通孔（係止部）
１０  蓋側鍔部（蓋外周部、密閉部）
１１  円筒状摺接部（密閉部）
１２  鉤部（係止部）
【図１】
2015178361.tif 000003
【図２】
2015178361.tif 000004
【図３】
2015178361.tif 000005
【図４】
2015178361.tif 000006
【図５】
2015178361.tif 000007
【図６】
2015178361.tif 000008
【図７】
2015178361.tif 000009
【図８】
2015178361.tif 000010
【図９】
2015178361.tif 000011